(57)【要約】【課題】制御動作の調整が容易かつ迅速に行える放電ランプ点灯装置を提供する。【解決手段】制御手段８は、調整動作時に、外部信号入力部６を介して入力された調整開始信号により調整プログラムを実行し、電気特性計測装置１９が計測する電気特性が所定値となるように点灯回路３を制御し、電気特性計測装置１９が前記所定値を計測したときに外部信号入力部６を介して調整終了信号が入力され、このときに点灯回路３を制御している制御係数Ｋ１，Ｋ２を記憶手段７に記憶させる。そして、通常動作時に、制御係数Ｋ１，Ｋ２を記憶手段７から読み出して通常プログラムにより点灯回路３を制御する。【選択図】図１
2008027785.tif 000002
【特許請求の範囲】
【請求項１】
直流電源と；
直流電源からの直流電圧を交流電圧に変換して出力する点灯回路と；
点灯回路により点灯される放電ランプと；
直流電源、点灯回路および放電ランプの少なくとも一の電気特性を検出する電気特性検出手段と；
外部から調整信号を入力する外部信号入力部と；
少なくとも制御係数を記憶する記憶手段と；
調整用負荷および前記電気特性を計測する電気特性計測装置が点灯回路に接続された調整動作時には、外部信号入力部を介して入力された調整開始信号により調整プログラムを実行し、電気特性計測装置が計測する前記電気特性が所定値となるように点灯回路を制御し、電気特性計測装置が前記所定値を計測したときに外部信号入力部を介して調整終了信号が入力され、このときに点灯回路を制御している制御係数を記憶手段に記憶させ、放電ランプが点灯回路に接続された通常動作時には、通常プログラムを実行し、記憶手段から前記制御係数を読み出して電気特性検出手段が検出した電気特性に応じて演算処理を行い、この演算処理に基づいて点灯回路を制御するように構成された制御手段と；
を具備していることを特徴とする放電ランプ点灯装置。
【請求項２】
外部信号入力部は、電気特性計測装置から調整信号を入力するように形成されていることを特徴とする請求項１記載の放電ランプ点灯装置。
【請求項３】
直流電源と；
直流電源からの直流電圧を交流電圧に変換して出力する点灯回路と；
点灯回路により点灯される放電ランプと；
直流電源、点灯回路および放電ランプの少なくとも一の電気特性を検出する電気特性検出手段と；
少なくとも制御係数を記憶する記憶手段と；
調整用負荷および前記電気特性を計測する電気特性計測装置が点灯回路に接続された調整動作時には、調整プログラムを実行し、電気特性計測装置が計測する前記電気特性が所定値となるように点灯回路を制御し、電気特性計測装置が前記所定値を計測したときに直流電源からの直流電圧の出力が強制的に遮断され、このときに点灯回路を制御している制御係数を記憶手段に記憶させ、放電ランプが点灯回路に接続された通常動作時には、通常プログラムを実行し、記憶手段から前記制御係数を読み出して電気特性検出手段が検出した電気特性に応じて演算処理を行い、この演算処理に基づいて点灯回路を制御するように構成された制御手段と；
を具備していることを特徴とする放電ランプ点灯装置。
【請求項４】
前記電気特性の特性値が出力され、電気特性計測装置の入力側に接続される接続端子を具備していることを特徴とする請求項１ないし３いずれか一記載の放電ランプ点灯装置。
【発明の詳細な説明】
【技術分野】
【０００１】
本発明は、制御調整を行う放電ランプ点灯装置に関する。
【背景技術】
【０００２】
点灯装置は、所定の回路部や光源が所望の電気特性で動作するように例えば製品出荷時に調整が行われている。この調整は、従来、人が可変抵抗器の抵抗値を調整することで行われている。例えば、調整工程において、光源を構成するＲＧＢの各ＬＥＤを順に発光させ、受光センサにより検出される輝度が規定値となるように各ＬＥＤに対応する各抵抗器の抵抗値を調整し、続いて、全てのＬＥＤを発光させ、色温度センサにより検出される色温度が規定の色温度となるように別の各抵抗器の抵抗値を調整する照明装置が提案されている（特許文献１参照。）。
【特許文献１】特開２００５−１１６２８号公報（第６−７頁、第１図）
【発明の開示】
【発明が解決しようとする課題】
【０００３】
特許文献１の照明装置は、光源の輝度や色温度が規定値となるように人が抵抗器の抵抗値を調整するので、調整に手間や時間を要するという欠点を有し、さらに、調整用測定器の設定ミスや測定値の読み違いなどの人的調整ミスを起こすおそれがある。
【０００４】
本発明は、制御動作の調整が容易かつ迅速に行える放電ランプ点灯装置を提供することを目的とする。
【課題を解決するための手段】
【０００５】
請求項１に記載の放電ランプ点灯装置の発明は、直流電源と；直流電源からの直流電圧を交流電圧に変換して出力する点灯回路と；点灯回路により点灯される放電ランプと；直流電源、点灯回路および放電ランプの少なくとも一の電気特性を検出する電気特性検出手段と；外部から調整信号を入力する外部信号入力部と；少なくとも制御係数を記憶する記憶手段と；調整用負荷および前記電気特性を計測する電気特性計測装置が点灯回路に接続された調整動作時には、外部信号入力部を介して入力された調整開始信号により調整プログラムを実行し、電気特性計測装置が計測する前記電気特性が所定値となるように点灯回路を制御し、電気特性計測装置が前記所定値を計測したときに外部信号入力部を介して調整終了信号が入力され、このときに点灯回路を制御している制御係数を記憶手段に記憶させ、放電ランプが点灯回路に接続された通常動作時には、通常プログラムを実行し、記憶手段から前記制御係数を読み出して電気特性検出手段が検出した電気特性に応じて演算処理を行い、この演算処理に基づいて点灯回路を制御するように構成された制御手段と；を具備していることを特徴とする。
【０００６】
本発明および以下の各発明において、特に言及しない限り、各構成は以下による。
【０００７】
直流電源は、バッテリ、商用交流電圧を整流または整流平滑したもの、あるいはこれらにチョッパ回路を接続したものなど、直流電圧を出力するものであればよい。
【０００８】
点灯回路は、高周波交流電圧を出力して放電ランプを高周波点灯させる高周波点灯回路であってもよく、例えば矩形状の低周波交流電圧を出力して高圧放電ランプを点灯させる低周波点灯回路であってもよい。
【０００９】
電気特性は、例えば、直流電源および点灯回路のそれぞれの入力（出力）電圧、入力（出力）電流および入力（出力）電力や放電ランプのランプ電流、ランプ電圧およびランプ電力の他、直流電源および点灯回路のそれぞれの構成部品の電流、電圧および電力などである。
【００１０】
「電気特性計測装置が点灯回路に接続される」とは、電気特性計測装置を点灯回路に直接的に接続してもよく、中継装置や他の回路等を介して電気特性計測装置が点灯回路に間接的に接続されてもよいことを意味している。
【００１１】
外部信号入力部は、調整信号を有線で入力するように構成されてもよく、調整信号を無線信号で入力するように構成されてもよい。
【００１２】
調整用負荷は、放電ランプに代えて接続されるものであり、例えば放電ランプの定格インピーダンスと等価の抵抗器でもよい。
【００１３】
「制御係数」とは、制御手段が演算処理を行うときの制御式（演算式）の制御ゲインなどの係数をいう。この係数が決定されることにより、電気特性検出手段が検出する電気特性に応じて、直流電源、点灯回路および放電ランプの少なくとも一の電気特性が所定値（所望の特性値）となるように点灯回路を制御することができる。
【００１４】
調整プログラムは、点灯回路に接続される調整用負荷を動作させるものであり、通常プログラムは、点灯回路に接続される放電ランプを動作させるものである。
【００１５】
本発明によれば、制御手段は、外部信号入力部に調整開始信号が入力されたときから調整終了信号が入力されるまでの調整動作時に調整プログラムを実行し、調整終了信号が入力されたときに直流電源、点灯回路および放電ランプの少なくとも一の電気特性であって電気特性計測装置が計測する電気特性を所定値とする点灯回路を制御する制御係数、例えば制御ゲインなどを決定する。この制御係数は、不揮発性のメモリやプログラムなどの記憶手段に記憶される。そして、制御係数は、通常動作時に記憶手段から読み出されて、通常プログラムにより演算処理する制御式の係数として用いられる。これにより、点灯回路は、通常動作時に、直流電源、点灯回路および放電ランプの電気特性が所定値となるように、電気特性検出手段が検出する電気特性に応じて制御される。例えば、放電ランプは、ランプ電力が定格値（所定値）になるように制御される。
【００１６】
請求項２に記載の放電ランプ点灯装置の発明は、請求項１記載の放電ランプ点灯装置において、外部信号入力部は、電気特性計測装置から調整信号を入力するように形成されていることを特徴とする。
【００１７】
電気特性計測装置は、直流電源、点灯回路および放電ランプの電気特性を当初に計測するときに調整開始信号を出力し、前記電気特性を所定値に計測したときに調整終了信号を出力する。
【００１８】
本発明によれば、電気特性計測装置から外部信号入力部に調整信号が入力されるので、調整信号を出力する別の出力装置が不要となり、調整作業が容易かつ迅速に行える。
【００１９】
請求項３に記載の放電ランプ点灯装置は、直流電源と；直流電源からの直流電圧を交流電圧に変換して出力する点灯回路と；点灯回路により点灯される放電ランプと；直流電源、点灯回路および放電ランプの少なくとも一の電気特性を検出する電気特性検出手段と；少なくとも制御係数を記憶する記憶手段と；調整用負荷および前記電気特性を計測する電気特性計測装置が点灯回路に接続された調整動作時には、調整プログラムを実行し、電気特性計測装置が計測する前記電気特性が所定値となるように点灯回路を制御し、電気特性計測装置が前記所定値を計測したときに直流電源からの直流電圧の出力が強制的に遮断され、このときに点灯回路を制御している制御係数を記憶手段に記憶させ、放電ランプが点灯回路に接続された通常動作時には、通常プログラムを実行し、記憶手段から前記制御係数を読み出して電気特性検出手段が検出した電気特性に応じて演算処理を行い、この演算処理に基づいて点灯回路を制御するように構成された制御手段と；を具備していることを特徴とする。
【００２０】
調整用負荷および電気特性計測装置が点灯回路に接続された状態で、直流電源を投入することにより調整動作を行わせることができる。そして、直流電源の投入を強制的に遮断することにより、調整動作を終了させるものである。
【００２１】
本発明によれば、制御手段は、調整動作時に調整プログラムを実行し、直流電源からの直流電圧の出力が強制的に遮断されたときに直流電源、点灯回路および放電ランプの少なくとも一の電気特性であって電気特性計測装置が計測する電気特性を所定値とする点灯回路を制御する制御係数、例えば制御ゲインなどを決定する。この制御係数は、不揮発性のメモリやプログラムなどの記憶手段に記憶される。そして、制御係数は、通常動作時に記憶手段から読み出されて、通常プログラムにより演算処理する制御式の係数として用いられる。これにより、点灯回路は、通常動作時に、直流電源、点灯回路および放電ランプの電気特性が所定値となるように、電気特性検出手段が検出する電気特性に応じて制御される。例えば、放電ランプは、ランプ電力が定格値（所定値）になるように制御される。
【００２２】
請求項４に記載の放電ランプ点灯装置は、請求項１ないし３いずれか一記載の放電ランプ点灯装置において、前記電気特性の特性値が出力され、電気特性計測装置の入力側に接続される接続端子を具備していることを特徴とする。
【００２３】
本発明によれば、接続端子に電気特性計測装置を接続することにより、電気特性計測装置に直流電源、点灯回路および放電ランプの電気特性の特性値が入力される。そして、電気特性計測装置において、当該特性値に基づいて前記電気特性の所定値が計測される。
【発明の効果】
【００２４】
請求項１の発明によれば、点灯回路に調整用負荷および電気特性計測装置を接続し、電気特性計測装置が直流電源、点灯回路および放電ランプの一の電気特性に対して所定値を計測したときに外部信号入力部に調整終了信号を入力して調整動作を終了させるので、前記電気特性に対する制御動作、例えば制御ゲインの調整が自動的に行われる結果、当該調整に手間や時間を要することを抑制することができ、当該調整の人的間違いを防止することができる。
【００２５】
請求項２の発明によれば、外部信号入力部に電気特性計測装置から調整開始信号および調整終了信号を入力するので、別の調整信号出力装置やその接続作業が不要となる結果、調整作業を容易かつ迅速に行うことができる。
【００２６】
請求項３の発明によれば、点灯回路に調整用負荷および電気特性計測装置を接続し、電気特性計測装置が直流電源、点灯回路および放電ランプの一の電気特性に対して所定値を計測したときに直流電源からの直流電圧の出力を強制的に遮断して調整動作を終了させるので、前記電気特性に対する制御動作、例えば制御ゲインの調整が自動的に行われる結果、当該調整に手間や時間を要することを抑制することができ、当該調整の人的間違いを防止することができる。
【００２７】
請求項４の発明によれば、電気特性計測装置は、入力側を接続端子に接続することにより直流電源、点灯回路および放電ランプの電気特性の特性値を入力することができるので、前記電気特性に対する制御動作の調整作業を容易かつ迅速に行うことができる。
【発明を実施するための最良の形態】
【００２８】
以下、本発明の一実施の形態について、図面を参照して説明する。まず、本発明の第１の実施形態について説明する。
【００２９】
図１ないし図４は、本発明の第１の実施形態を示し、図１は放電ランプ点灯装置の概略回路図、図２は制御手段の調整プログラムおよび通常プログラムの選択を示すフロー図、図３は制御手段の調整プログラムの実行によるフロー図、図４は制御手段の通常プログラムの実行によるフロー図である。
【００３０】
図１において、放電ランプ点灯装置１は、直流電源２、点灯回路としての高周波点灯回路３、放電ランプとしての蛍光ランプ４、電気特性検出手段５、外部信号入力部６、記憶手段としての不揮発性メモリ７および制御手段としての制御回路８を有して構成されている。
【００３１】
直流電源２は、商用交流電源Ｖｓの交流電圧を整流して直流電圧に変換する整流装置９からなる。
【００３２】
高周波点灯回路３は、昇圧チョッパ回路１０、インバータ回路１１および共振回路１２により形成されている。昇圧チョッパ回路１０は、整流装置９の出力間に接続されたインダクタＬ１および電界効果トランジスタＦＥＴ１の直列回路と、電界効果トランジスタＦＥＴ１の両端間に接続された逆流防止用のダイオードＤ１および平滑用コンデンサＣ１の直列回路からなる。昇圧チョッパ回路１０は、電界効果トランジスタＦＥＴ１のオンオフ動作により直流電源２からの直流電圧を所定電圧に変換して平滑用コンデンサＣ１の両端間に出力する。
【００３３】
インバータ回路１１は、平滑用コンデンサＣ１の両端間に直列的に接続された電界効果トランジスタＦＥＴ２，ＦＥＴ３からなり、電界効果トランジスタＦＥＴ２，ＦＥＴ３が交互にオンオフ動作することにより、直流電圧を高周波交流電圧に変換して電界効果トランジスタＦＥＴ３のドレイン、ソース間に出力する。
【００３４】
共振回路１２は、電界効果トランジスタＦＥＴ３のドレイン、ソース間に蛍光ランプ４を介して接続された直流カット用コンデンサＣ２、インダクタＬ２および始動用コンデンサＣ３からなり、前記高周波交流電圧に応じて共振して蛍光ランプ４を点灯させる。このように、高周波点灯回路３は、直流電源２からの直流電圧を高周波交流電圧に変換して出力し、蛍光ランプ４は、高周波点灯回路３により点灯される。
【００３５】
電気特性検出手段５は、商用交流電源Ｖｓの交流電圧を検出する電源電圧検出回路１３と、昇圧チョッパ回路１０の入力電圧を検出する入力電圧検出回路１４および出力電圧を検出する出力電圧検出回路１５と、蛍光ランプ４のランプ電圧を検出するランプ電圧検出回路１６およびランプ電流を検出するランプ電流検出回路１７からなっている。そして、ランプ電圧およびランプ電流を演算することにより、蛍光ランプ４のランプ電力が検出される。
【００３６】
そして、蛍光ランプ４の電流路は、接続端子としての端子台１８の電流端子Ｓ１，Ｓ２に接続されている。また、蛍光ランプ４の両端は、接続端子としての端子台１８の電圧端子Ｔ１，Ｔ２に接続されている。電流端子Ｓ１，Ｓ２が短絡された状態において、電流端子Ｓ１，Ｓ２には、蛍光ランプ４のランプ電流が流れる。また、電圧端子Ｔ１，Ｔ２間には、蛍光ランプ４のランプ電圧が出力される。
【００３７】
電流端子Ｓ１，Ｓ２および電圧端子Ｔ１，Ｔ２は、調整動作時に電気特性計測装置としての電力計測装置１９に接続される。そして、通常動作時、電流端子Ｓ１，Ｓ２間は、リード線等により短絡され、電圧端子Ｔ１，Ｔ２間は、開放されている。ここで、「調整動作時」とは、共振回路１２に調整用負荷例えば蛍光ランプ４の定格インピーダンスと等価の抵抗が接続されて高周波点灯回路３が動作している状態をいい、「通常動作時」とは、共振回路１２に蛍光ランプ４が接続されて高周波点灯回路３が動作している状態をいう。
【００３８】
電力計測装置１９は、電流端子Ｓ１，Ｓ２および電圧端子Ｔ１，Ｔ２に接続されたとき、スイッチ操作により調整開始信号を出力するように構成されている。そして、調整動作時において、電力計測装置１９には、電流端子Ｓ１，Ｓ２および電圧端子Ｔ１，Ｔ２を介して調整用負荷の負荷電流および負荷電圧が入力される。電力計測装置１９は、調整用負荷の負荷電力を演算し、負荷電力が所定値となると自動的に調整終了信号を出力するように構成されている。
【００３９】
外部信号入力部６は、外部信号入力インターフェース（Ｉ／Ｆ）回路２０および信号入力端子２１ａ，２１ｂからなっている。そして、信号入力端子２１ａ，２１ｂは、調整動作時に、電力計測装置１９の出力側に接続され、電力計測装置１９から例えばパルス信号の調整開始信号または調整終了信号が入力される。外部信号入力Ｉ／Ｆ回路２０は、当該調整信号を制御回路８の主制御部２６に送出するように構成されている。
【００４０】
不揮発性メモリ７は、調整用負荷の電力の下限値、決定した制御式の制御係数などを記憶するように形成されている。
【００４１】
制御回路８は、アナログデジタル（ＡＤ）変換器２２、駆動回路２３、不揮発性メモリ７、プログラムメモリ２４およびメインメモリ２５および中央処理装置（ＣＰＵ）を有する演算処理部２６ａを有してなる主制御部２６を有して形成され、これらはバス２７により接続されている。
【００４２】
ＡＤ変換器２２は、電気特性検出手段５が検出した検出値（電気特性）をデジタル値に変換して主制御部２６に送出する。駆動回路２３は、主制御部２６からの制御信号に応じて、昇圧チョッパ回路１０の電界効果トランジスタＦＥＴ１と、インバータ回路１１の電界効果トランジスタＦＥＴ２，ＦＥＴ３をそれぞれオンオフ動作させる駆動電圧を生成する。プログラムメモリ２４は、ＲＯＭを備えて調整プログラムおよび通常プログラムを記憶している。メインメモリ２５は、ＲＡＭを備えて主制御部２６が演算したデータなどを記憶する。
【００４３】
そして、主制御部２６は、高周波点灯回路３に調整用負荷が接続され、端子台１８の電流端子Ｓ１，Ｓ２および電圧端子Ｔ１，Ｔ２に電力計測装置１９が接続され、電力計測装置１９からの調整開始信号が外部信号入力部６を介して入力されると、演算処理部２６ａがプログラムメモリ２４から調整プログラムを読み出し、調整プログラムを実行するように構成されている。
【００４４】
そして、演算処理部２６ａは、ＡＤ変換器２２から電気特性検出手段５が検出した検出値（電気特性）を一定のサンプリング間隔で取り込むとともに、不揮発性メモリ７に記憶されている調整用負荷の電力の下限値から漸次電力が増加するように、高周波点灯回路３を制御する制御式の制御係数を演算処理する。
【００４５】
制御係数は、制御式の例えば制御ゲインや制御応答時間等である。制御式は、制御量をＵ（ｎ）、電力を増加させる１つ前（直前）の制御量をＵ（ｎ−１）、制御ゲイン係数をＫ１、制御応答時間係数をＫ２、現在の電力値をＶｄ（ｎ）、電力を増加させる１つ前の電力値をＶｄ（ｎ−１）、負荷電力の目標値をＶｍとすると、Ｕ（ｎ）＝Ｕ（ｎ−１）＋Ｋ１＊（Ｖｍ−Ｖｄ（ｎ））＋Ｋ２＊（Ｖｍ−Ｖｄ（ｎ−１））として表わせる。ここで、負荷電力の目標値は、電圧値に変換されている。制御量Ｕ（ｎ）は、昇圧チョッパ回路１０の電界効果トランジスタＦＥＴ１およびインバータ回路１１の電界効果トランジスタＦＥＴ２，ＦＥＴ３を駆動するオンオフ周波数や駆動のオンデューティーなどである。
【００４６】
そして、調整用負荷での電力が増加し、電力計測装置１９が所定値を計測すると、電力計測装置１９から調整終了信号が出力される。この調整終了信号は、外部信号入力Ｉ／Ｆ回路２０を介して制御回路８の主制御部２６に入力される。
【００４７】
主制御部２６は、電力計測装置１９が調整用負荷の所定値を計測したときの前記制御係数Ｋ１，Ｋ２および電気特性検出手段５が検出した検出値（電気特性）を不揮発性メモリ７に記憶（書き込み）させる。そして、高周波点灯回路３の動作を停止させる。すなわち、昇圧チョッパ回路１０の電界効果トランジスタＦＥＴ１およびインバータ回路１１の電界効果トランジスタＦＥＴ２，ＦＥＴ３のそれぞれのオンオフ動作を停止させる。これにより、調整用負荷の負荷電力（蛍光ランプ４のランプ電力）に対する制御動作の調整が終了する。
【００４８】
そして、主制御部２６は、高周波点灯回路３に蛍光ランプ４が接続され、商用交流電源Ｖｓが投入されると、演算処理部２６ａがプログラムメモリ２４から通常プログラムを読み出して、通常プログラムに基づいて制御動作を実行するように構成されている。すなわち、不揮発性メモリ７から前記制御係数Ｋ１，Ｋ２が読み出され、当該制御係数Ｋ１，Ｋ２を用いて前記制御式により制御量Ｕ（ｎ）が演算される。ここで、不揮発性メモリ７に記憶された電気特性検出手段５が検出した検出値（電気特性）を目標値としている。これにより、蛍光ランプ４は、定格値または定格値付近のランプ電力で安定点灯する。
【００４９】
次に、本発明の第１の実施形態の作用について、図２ないし図４を用いて説明する。
【００５０】
放電ランプ点灯装置１は、例えば製品出荷前に、制御動作に対する調整が行われる。この調整作業は、まず、高周波点灯回路３の共振回路１２に調整用負荷例えば蛍光ランプ４の定格インピーダンスと等価の抵抗が接続される。そして、端子台１８の電流端子Ｓ１，Ｓ２および電圧端子Ｔ１，Ｔ２に電力計測装置１９の入力側が接続され、外部信号入力部６の信号入力端子２１ａ，２１ｂに電力計測装置１９の出力側が接続される。
【００５１】
そして、電力計測装置１９に配設されているスタートボタンなどによりスイッチ操作を行うと、電力計測装置１９から調整開始信号（調整信号）が出力される。この調整開始信号は、外部信号入力部６を介して制御回路８の主制御部２６に入力される。
【００５２】
主制御部２６は、商用交流電源Ｖｓ（直流電源２）が投入されると、図２に示すように、外部信号入力Ｉ／Ｆ回路２０から調整開始信号が入力されているか否かを判断する（ステップＳ１）。そして、調整開始信号が入力されていると、プログラムメモリ２４から調整プログラムを読み出し、この調整プログラムに基づいて制御動作を実行する（ステップＳ２）。また、主制御部２６は、調整開始信号（調整信号）が入力されていないと、プログラムメモリ２４から通常プログラムを読み出して、通常プログラムに基づいて制御動作を実行する（ステップＳ３）。
【００５３】
図３において、調整プログラムが実行されると、高周波点灯回路３に調整用負荷が接続されているか否かが判断され、調整用負荷が接続されていないと、調整用負荷の負荷電力（蛍光ランプ４のランプ電力）に対する制御動作の調整（調整動作）は行われない（ステップＳ４）。
【００５４】
高周波点灯回路３に調整用負荷が接続されていると、主制御部２６は、不揮発性メモリ７から調整用負荷の電力の下限値（例えば７０Ｗ）を読み出す（ステップＳ５）。
【００５５】
そして、主制御部２６は、調整用負荷の電力が前記下限値となるように高周波点灯回路３を制御する（ステップＳ６）。すなわち、駆動回路２３を介して昇圧チョッパ回路１０の電界効果トランジスタＦＥＴ１およびインバータ回路１１の電界効果トランジスタＦＥＴ２，ＦＥＴ３のそれぞれのオンオフ動作を変化させる。このとき、主制御部２６の演算処理部２６ａは、上記制御式に基づいて制御係数Ｋ１，Ｋ２を演算する（ステップＳ７）。また、主制御部２６は、電気特性検出手段５が検出した検出値を一定のサンプリング間隔でＡＤ変換器２２から読み込むようにしている。
【００５６】
調整用負荷の負荷電力は、電力計測装置１９において計測される。電力計測装置１９は、計測した電力が所定値に達していないと調整終了信号を出力せず、計測した電力が所定値以上になると調整終了信号を出力する。ここで、所定値は、蛍光ランプ４の定格ランプ電力（例えば８４Ｗ）に設定されている。
【００５７】
主制御部２６は、電力計測装置１９から外部信号入力部６を介して調整終了信号が入力されているか否かを判断する（ステップＳ８）。そして、調整終了信号が入力されていないと、前記電力の下限値（例えば７０Ｗ）に例えば０．１Ｗを加えて調整用負荷の電力を増加させる（ステップＳ９）。ここで、電力は、定量または定率のいずれで増加させてもよく、その増加させる割合は、適宜設定すればよいものである。
【００５８】
そして、主制御部２６は、調整用負荷の電力が増加後の電力値となるように高周波点灯回路３を制御する（ステップＳ６）。以下、電力計測装置１９が計測する調整用負荷の電力が所定値（例えば８４Ｗ）となるまで、ステップＳ６〜ステップＳ９の動作が繰り返される。
【００５９】
そして、電力計測装置１９が計測する調整用負荷の電力が所定値以上になり、電力計測装置１９から調整終了信号が出力されると、主制御部２６により、調整終了信号が確認される（ステップＳ８）。主制御部２６は、演算処理部２６ａが演算した制御式の制御係数Ｋ１，Ｋ２および電気特性検出手段５が検出した検出値を不揮発性メモリ７に記憶（書き込み）させる（ステップＳ１０）。
【００６０】
その後、主制御部２６は、昇圧チョッパ回路１０の電界効果トランジスタＦＥＴ１およびインバータ回路１１の電界効果トランジスタＦＥＴ２，ＦＥＴ３のそれぞれのオンオフ動作を停止させるように制御する。すなわち、高周波点灯回路３の制御を停止させる（ステップＳ１１）。これにより、主制御部２６による調整動作が終了する。
【００６１】
図２において、高周波点灯回路３に蛍光ランプ４が接続され、信号入力端子２１ａ，２１ｂに調整開始信号が入力されていない状態で、商用交流電源Ｖｓ（直流電源２）が投入されると、主制御部２６は、プログラムメモリ２４から通常プログラムを読み出し、通常プログラムに基づいて高周波点灯回路３を制御する（ステップＳ３）。すなわち、主制御部２６は、通常プログラムにより通常動作を実行する。この通常動作は、放電ランプ点灯装置１が製品として機能するときの動作である。したがって、電力計測装置１９は、放電ランプ点灯装置１に接続されない。
【００６２】
そして、主制御部２６は、図４に示すように、不揮発性メモリ７から制御係数Ｋ１，Ｋ２および電気特性検出手段５が検出した検出値を読み出し（ステップＳ１２）、メインメモリ２５へ記憶（書き込み）させる（ステップＳ１３）。制御係数Ｋ１，Ｋ２および電気特性検出手段５が検出した検出値がメインメモリ２５へ記憶されることにより、主制御部２６の演算処理部２６ａでの演算処理において、メインメモリ２５との制御係数Ｋ１，Ｋ２および前記検出値の読み出し書き込みが迅速化される。
【００６３】
そして、主制御部２６の演算処理部２６ａは、メインメモリ２５に書き込まれた前記検出値から調整用負荷の負荷電力を演算して、当該負荷電力を目標値とする。また、電気特性検出手段５が検出している検出値から蛍光ランプ４のランプ電力を演算する。そして、メインメモリ２５に書き込まれた制御係数Ｋ１，Ｋ２、すなわち不揮発性メモリ７に記憶された制御係数Ｋ１，Ｋ２を有する上述した制御式において、演算した負荷電力（目標値）およびランプ電力の差分に応じて制御量Ｕ（ｎ）を演算し、この制御量Ｕ（ｎ）により高周波点灯回路３をフィードバック制御する（ステップＳ１４）。すなわち、蛍光ランプ４が定格ランプ電力（例えば８４Ｗ）で点灯されるように昇圧チョッパ回路１０の電界効果トランジスタＦＥＴ１およびインバータ回路１１の電界効果トランジスタＦＥＴ２，ＦＥＴ３のそれぞれのオンオフ動作を制御する。前記フィードバック制御は、商用交流電源Ｖｓ（直流電源２）がオフされるまで継続して行われる（ステップＳ１５）。
【００６４】
上述したように、高周波点灯回路３に調整用負荷および電力計測装置１９を接続し、信号入力端子２１ａ，２１ｂに調整開始信号を入力して商用交流電源Ｖｓ（直流電源２）を投入すると、制御回路８の主制御部２６で調整プログラムが実行されることにより、主制御部１９の演算処理部２６ａによる演算処理において制御式の制御係数Ｋ１，Ｋ２が決定され、蛍光ランプ４を定格ランプ電力（所定値）で点灯させることのできる制御動作の調整が自動的に行われる。したがって、当該調整のための手間や調整時間を抑制することができ、当該調整の人的間違いを防止することができる。
【００６５】
また、電力計測装置１９から調整開始信号および調整終了信号が外部信号入力部６に入力されるので、調整信号を出力する専用装置やその接続作業を不要とすることができて省力化が図られる結果、蛍光ランプ４のランプ電力に対する制御動作の調整作業を容易かつ迅速に行うことができる。
【００６６】
また、接続端子としての電流端子Ｓ１，Ｓ２および電圧端子Ｔ１，Ｔ２を有する端子台１８を具備しているので、調整用負荷の負荷電流および負荷電圧を入力するための電力計測装置１９の接続を電流端子Ｓ１，Ｓ２および電圧端子Ｔ１，Ｔ２において容易にかつ迅速に行える。これにより、蛍光ランプ４のランプ電力に対する制御動作の調整作業を容易かつ迅速に行うことができる。
【００６７】
なお、上記の実施形態は、蛍光ランプ４のランプ電力に対する制御動作の調整について説明したが、電力計測装置１９に代えて、電圧計測装置（電流計測装置）を接続し、上述と同様にして蛍光ランプ４のランプ電圧（ランプ電流）に対する制御動作の調整を行うこともできる。これにより、制御回路８は、蛍光ランプ４が定格ランプ電圧（定格ランプ電流）で点灯されるように制御する。
【００６８】
また、電圧計測装置を例えば昇圧チョッパ回路１０の出力間（平滑用コンデンサＣ１の両端間）に接続することにより、昇圧チョッパ回路１０の出力電圧に対する制御動作の調整も行える。
【００６９】
このように、直流電源２、高周波点灯回路３、それらの回路部や回路部品および蛍光ランプ４のそれぞれの電気特性（電流、電圧、電力）を計測する電気特性計測装置を接続して、上述と同様にして調整作業を行うことができる。すなわち、当該電気特性に対する制御動作の調整を行うことができる。このとき、制御式は、制御量をＵ（ｎ）、１つ前（直前）の制御量をＵ（ｎ−１）、制御ゲイン係数をＫ１、制御応答時間係数をＫ２、現在の計測値をＶｄ（ｎ）、１つ前の計測値をＶｄ（ｎ−１）、計測値の目標値をＶｍとすると、Ｕ（ｎ）＝Ｕ（ｎ−１）＋Ｋ１＊（Ｖｍ−Ｖｄ（ｎ））＋Ｋ２＊（Ｖｍ−Ｖｄ（ｎ−１））として表わせる。ここで、計測値の目標値は、電圧値に変換されている。
【００７０】
上記の電気特性に対する制御動作の調整により、高周波点灯回路３等の回路部品のバラツキに対する出力のバラツキが抑制される。結果として、蛍光ランプ４の電気特性が所定値となるように制御することができる。
【００７１】
なお、上記制御式において、計測値の目標値Ｖｍは、調整動作時に電気特性検出手段５が検出した検出値（電気特性）としなく、予め所定値（所望の値）を目標値Ｖｍとして不揮発性メモリ７に記憶させていてもよい。この場合、調整動作時に前記検出値（電気特性）を不揮発性メモリ７に記憶させる必要はないものである。
【００７２】
次に、本発明の第２の実施形態について説明する。
【００７３】
図５は、本発明の第２の実施形態を示す放電ランプ点灯装置の概略回路図である。なお、図１と同一部分には同一符号を付して説明は省略する。
【００７４】
図５に示す放電ランプ点灯装置２８は、図１に示す放電ランプ点灯装置１において、高周波点灯回路３に代えて昇圧チョッパ回路１０およびインバータ回路２９を有してなる点灯回路としての低周波点灯回路３０が設けられている。
【００７５】
インバータ回路２９は、電界効果トランジスタＦＥＴ２および電界効果トランジスタＦＥＴ３の直列回路に、並列的に電界効果トランジスタＦＥＴ４および電界効果トランジスタＦＥＴ５の直列回路が接続されて構成されている。そして、電界効果トランジスタＦＥＴ２および電界効果トランジスタＦＥＴ３の中点ａ１と、電界効果トランジスタＦＥＴ４および電界効果トランジスタＦＥＴ５の中点ａ２の間に、放電ランプとしての高圧放電ランプ３１、インダクタＬ２およびランプ電流検出回路１７が直列的に接続されている。高圧放電ランプ３１は、例えば高圧メタルハライドランプである。
【００７６】
インバータ回路２９は、電界効果トランジスタＦＥＴ２，ＦＥＴ５と、電界効果トランジスタＦＥＴ３，ＦＥＴ４とが交互にオンオフ動作するように、制御回路８により制御される。そして、前記中点ａ１，ａ２間に、低周波例えば５０Ｈｚの矩形状の交流電圧を出力する。高圧放電ランプ３１は、当該矩形状の交流電圧に応じて点灯される。
【００７７】
そして、低周波点灯回路３０に調整用負荷および電力計測装置１９を接続することにより、第１の実施形態で説明したようにして、高圧放電ランプ３１を定格ランプ電力（所定値）で点灯させるための制御式の制御係数Ｋ１，Ｋ２が自動的に決定される。すなわち、高圧放電ランプ３１のランプ電力に対する制御動作の調整が自動的に行われる。したがって、調整作業の省力化を図ることができ、当該調整における人的間違いを防止することができる。
【００７８】
次に、本発明の第３の実施形態について説明する。
【００７９】
図６および図７は、本発明の第３の実施形態を示し、図６は放電ランプ点灯装置の概略回路図、図７は制御手段の調整プログラムの実行によるフロー図である。なお、図１および図３と同一部分には同一符号を付して説明は省略する。
【００８０】
図６に示す放電ランプ点灯装置３２は、図１に示す放電ランプ点灯装置１において、外部信号入力部６が除去され、電力計測装置１９の出力側がリレー３３に接続されている。そして、直流電源２の整流装置９の入力端と商用交流電源Ｖｓとの間にリレー３３の常開接点３３ａ，３３ｂが設けられている。
【００８１】
電力計測装置１９は、蛍光ランプ４に代えて高周波点灯回路３に接続される調整用負荷の負荷電力を計測するとともに、リレー３３のリレーコイル（図示しない。）を付勢または消勢させるように構成されている。すなわち、調整動作を開始するときにスタートボタンなどのスイッチ操作が行われると、リレー３３のリレーコイルに動作電圧を供給してリレー３３を付勢させる。これにより、リレー３３の常開接点３３ａ，３３ａが閉路して整流装置９が商用交流電源Ｖｓに接続され、直流電源２から高周波点灯回路３に直流電圧が出力される。
【００８２】
そして、電力計測装置１９は、調整用負荷の負荷電力の計測において、所定値の負荷電力を計測すると、リレー３３のリレーコイルへの動作電圧の供給を停止する。これにより、リレー３３は、消勢して、常開接点３３ａ，３３ａが開路する。整流装置９は、商用交流電源Ｖｓに接続されなくなり、直流電源２から高周波点灯回路３に直流電圧が出力されなくなる。このように、電力計測装置１９が調整用負荷の負荷電力の所定値を計測したときに直流電源２からの直流電圧の出力が強制的に遮断される。
【００８３】
直流電源２の出力が強制的に遮断されると、昇圧チョッパ回路１０の出力電圧（平滑用コンデンサＣ１）の両端間電圧が次第に低下し、高周波点灯回路３の動作が停止する。直流電源２の前記遮断から高周波点灯回路３の動作が停止するまでの期間、制御回路８は、動作を継続している。
【００８４】
制御回路８は、電気特性検出手段５の電源電圧検出回路１３が検出しＡＤ変換器２２から読み込んでいる検出値により直流電源２の前記遮断を検出している。そして、直流電源２の前記遮断を検出すると、このときに主制御部２６の演算処理部２６ａが演算している制御係数Ｋ１，Ｋ２および電気特性検出手段５が検出している検出値（電気特性）を不揮発性メモリ７に記憶させるように形成されている。以下、図１に示す放電ランプ点灯装置１と同様に構成されている。
【００８５】
調整作業は、まず、高周波点灯回路３の共振回路１２に調整用負荷が接続され、端子台１８の電流端子Ｓ１，Ｓ２および電圧端子Ｔ１，Ｔ２に電力計測装置１９の入力側が接続され、直流電源２の整流装置９の入力端と商用交流電源Ｖｓとの間にリレー３３の常開接点３３ａ，３３ｂが接続される。そして、電力計測装置１９の出力側がリレー３３のリレーコイルに接続される。
【００８６】
そして、電力計測装置１９に配設されているスタートボタンなどによりスイッチ操作を行うと、電力計測装置１９からリレー３３のリレーコイルに動作電圧が供給される。これにより、リレー３３の常開接点３３ａ，３３ａが閉路し、整流装置９が商用交流電源Ｖｓに接続され、直流電源２の直流電圧が高周波点灯回路３に投入される。
【００８７】
主制御部２６は、プログラムメモリ２４から調整プログラムを読み出し、この調整プログラムに基づいて制御動作を実行する（ステップＳ２）。以下、図３において説明したステップＳ４〜ステップＳ７の動作が実行される。
【００８８】
そして、主制御部２６は、電気特性検出手段５の電源電圧検出回路１３が検出している検出値から直流電源２からの直流電圧の出力が強制的に遮断されたか否かを判断する（ステップＳ１１）。そして、直流電源２の前記遮断がされていないと、調整用負荷の電力の下限値（例えば７０Ｗ）に例えば０．１Ｗを加えて調整用負荷の電力を増加させる（ステップＳ１２）。
【００８９】
主制御部２６は、調整用負荷の電力が増加後の電力値となるように高周波点灯回路３を制御する（ステップＳ６）。以下、電力計測装置１９が計測する調整用負荷の電力が所定値（例えば８４Ｗ）となるまで、ステップＳ６，Ｓ７，Ｓ１１，Ｓ１２の動作が繰り返される。
【００９０】
そして、電力計測装置１９が計測する調整用負荷の電力が所定値以上になり、リレー３３が消勢されて常開接点３３ａ，３３ａが開路すると、主制御部２６により、直流電源２の前記遮断が確認される（ステップＳ１１）。主制御部２６は、演算処理部２６ａが演算した制御式の制御係数Ｋ１，Ｋ２および電気特性検出手段５が検出した検出値を不揮発性メモリ７に記憶（書き込み）させる（ステップＳ１３）。これにより、主制御部２６による調整動作が終了する。
【００９１】
なお、制御係数Ｋ１，Ｋ２等の不揮発性メモリ７への書き込み（ステップＳ１３）は、制御係数Ｋ１，Ｋ２が演算される毎に（ステップＳ７）、不揮発性メモリ７に上書きされるようにして記憶させてもよい。すなわち、直流電源２の前記遮断の確認（ステップＳ１１）の直前に行ってもよい。
【００９２】
そして、電力計測装置１９およびリレー３３などを取り外すことにより、調整作業が終了する。
【００９３】
上述したように、高周波点灯回路３に調整用負荷および電力計測装置１９を接続し、直流電源２にリレー３３を介在させて商用交流電源Ｖｓ（直流電源２）を投入することにより、制御回路８の主制御部２６で調整プログラムが実行される。そして、主制御部１９の演算処理部２６ａによる演算処理において制御式の制御係数Ｋ１，Ｋ２が決定され、蛍光ランプ４を定格ランプ電力（所定値）で点灯させることのできる制御動作の調整が自動的に行われる。したがって、当該調整のための手間や調整時間を抑制することができ、当該調整の人的間違いを防止することができる。
【００９４】
次に、本発明の第４の実施形態について説明する。
【００９５】
図８は、本発明の第４の実施形態を示す放電ランプ点灯装置の概略回路図である。なお、図５と同一部分には同一符号を付して説明は省略する。
【００９６】
図８に示す放電ランプ点灯装置３４は、図に５示す放電ランプ点灯装置２８において、外部信号入力部６が除去され、電力計測装置１９の出力側がリレー３３に接続されて、直流電源２の整流装置９の入力端と商用交流電源Ｖｓとの間にリレー３３の常開接点３３ａ，３３ｂが設けられている。
【００９７】
以下、図６に示す放電ランプ点灯装置３２と同様にして調整作業が行われる。これにより、高圧放電ランプ３１を定格ランプ電力（所定値）で点灯させることのできる制御動作の調整を自動的に行うことができる。
【図面の簡単な説明】
【００９８】
【図１】本発明の第１の実施形態を示す放電ランプ点灯装置の概略回路図。
【図２】同じく、制御手段の調整プログラムおよび通常プログラムの選択を示すフロー図。
【図３】同じく、制御手段の調整プログラムの実行によるフロー図。
【図４】同じく、制御手段の通常プログラムの実行によるフロー図。
【図５】本発明の第２の実施形態を示す放電ランプ点灯装置の概略回路図。
【図６】本発明の第３の実施形態を示す放電ランプ点灯装置の概略回路図。
【図７】同じく、制御手段の調整プログラムの実行によるフロー図。
【図８】本発明の第４の実施形態を示す放電ランプ点灯装置の概略回路図。
【符号の説明】
【００９９】
１，２８，３２，３４…放電ランプ点灯装置
２…直流電源
３…点灯回路としての高周波点灯回路
４…放電ランプとしての蛍光ランプ
５…電気特性検出手段
６…外部信号入力部
７…記憶手段としての不揮発性メモリ
８…制御手段としての制御回路
３０…点灯回路としての低周波点灯回路
３１…放電ランプとしての高圧放電ランプ
【図１】
2008027785.tif 000003
【図２】
2008027785.tif 000004
【図３】
2008027785.tif 000005
【図４】
2008027785.tif 000006
【図５】
2008027785.tif 000007
【図６】
2008027785.tif 000008
【図７】
2008027785.tif 000009
【図８】
2008027785.tif 000010